Podtech/llm-jp-corpus-v4-ja_patent huggingface dataset:
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
生体センサおよび非生体センサのセットと、
プロセッサと
を含むモバイルデバイスであって、前記プロセッサは、
センサの前記セットからセンサデータを受信することと、
前記受信されたセンサデータから認証情報を形成することと、
前記認証情報を連続的に更新することであって、前記更新された認証情報は、既定のセキュリティおよびプライバシープリファレンス設定を組み込む、更新することと、
融合されたセキュリティおよびプライバシープリファレンス設定を形成するために、前記モバイルデバイスおよび認証エンティティの対立する既定のセキュリティおよびプライバシープリファレンス設定を交渉することと、
前記受信されたセンサデータおよび前記融合されたセキュリティおよびプライバシープリファレンス設定に基づいて前記受信されたセンサデータの認証強度を決定することと、
前記認証情報に関連する信頼レベルを決定するために、経時的な前記認証情報の持続性を解析することと、
前記認証強度および前記信頼レベルに基づいて、現在の認証レベルを示す信頼係数を決定することと
を行うように構成される、モバイルデバイス。
【請求項２】
前記更新された認証情報は、信頼係数、信頼レベル、信頼スコア、認証係数、認証レベル、認証スコア、または認証強度のうちの少なくとも1つを含む、請求項1に記載のモバイルデバイス。
【請求項３】
前記更新された認証情報は、既定のセキュリティおよびプライバシープリファレンス設定を満足させる、請求項1に記載のモバイルデバイス。
【請求項４】
前記既定のセキュリティおよびプライバシープリファレンス設定は、ユーザ承認済みのセンサデータ、生体センサ情報、ユーザデータ入力、または認証情報のタイプを含む、請求項1に記載のモバイルデバイス。
【請求項５】
前記プロセッサは、認証エンティティからの認証要求に応答して、前記認証エンティティに前記更新された認証情報を送信するように構成される、請求項1に記載のモバイルデバイス。
【請求項６】
認証を実行するための方法であって、
生体センサおよび非生体センサのセットからセンサデータを受信するステップと、
前記受信されたセンサデータから認証情報を形成するステップと、
前記認証情報を連続的に更新するステップであって、前記更新された認証情報は、既定のセキュリティおよびプライバシープリファレンス設定を組み込む、ステップと、
融合されたセキュリティおよびプライバシープリファレンス設定を形成するために、モバイルデバイスおよび認証エンティティの対立する既定のセキュリティおよびプライバシープリファレンス設定を交渉するステップと、
前記受信されたセンサデータおよび前記融合されたセキュリティおよびプライバシープリファレンス設定に基づいて前記受信されたセンサデータの認証強度を決定するステップと、
前記認証情報に関連する信頼レベルを決定するために、経時的な前記認証情報の持続性を解析するステップと、
前記認証強度および前記信頼レベルに基づいて、現在の認証レベルを示す信頼係数を決定するステップと
を含む方法。
【請求項７】
前記更新された認証情報は、信頼係数、信頼レベル、信頼スコア、認証係数、認証レベル、認証スコア、または認証強度のうちの少なくとも1つを含む、請求項6に記載の方法。
【請求項８】
前記更新された認証情報は、既定のセキュリティおよびプライバシープリファレンス設定を満足させる、請求項6に記載の方法。
【請求項９】
前記既定のセキュリティおよびプライバシープリファレンス設定は、ユーザ承認済みのセンサデータ、生体センサ情報、ユーザデータ入力、または認証情報のタイプを含む、請求項6に記載の方法。
【請求項１０】
認証エンティティからの認証要求に応答して、前記認証エンティティに前記更新された認証情報を送信するステップをさらに含む、請求項6に記載の方法。
【請求項１１】
プロセッサによって実行されると、前記プロセッサに、請求項6から10のいずれか一項に記載の方法を行わせるコードを含むコンピュータ可読記憶媒体。
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
言語モデリングコンポーネントをカスタマイズする方法であって：
コンピューティングデバイスが、言語モデリングコンポーネントのリストを提示するステップ；
前記コンピューティングデバイスが、前記リストのうちの複数の言語モデリングコンポーネントを組み合わせるためのヒントを送信するステップであって、前記ヒントは複数のドメインのうちの1つ以上に基づく、ステップ；及び
前記コンピューティングデバイスが、前記ヒントに基づく前記複数の言語モデリングコンポーネントのカスタマイズされた組み合わせを受信するステップ；
を有する方法。
【請求項２】
前記複数の言語モデリングコンポーネントのうちの1つ以上と前記ヒントとの間のコネクションを維持するステップを更に有する請求項1に記載の方法。
【請求項３】
前記コンピューティングデバイスが、前記リストのうちの複数の言語モデリングコンポーネントを組み合わせるためのヒントを送信することが、前記複数のドメインのうちの1つ以上に基づいて予めコンパイルされた言語モデルの選択肢を送信することを含む、請求項1に記載の方法。
【請求項４】
前記コンピューティングデバイスが、前記リストのうちの複数の言語モデリングコンポーネントを組み合わせるためのヒントを送信することが、前記複数のドメインのうちの1つ以上に基づいて、前記複数の言語モデリングコンポーネントについての固定ウェイトの組み合わせの選択肢を送信することを含む、請求項1に記載の方法。
【請求項５】
言語モデリングコンポーネントをカスタマイズするシステムであって：
実行可能なプログラムコードを保存するメモリ；及び
前記メモリに機能的に結合されるプロセッサ；
を有し、前記プロセッサは、前記プログラムコードに含まれるコンピュータ実行可能な命令に応じて動作を行い、前記動作は：
言語モデリングコンポーネントのリストを提示するステップ；
前記リストのうちの複数の言語モデリングコンポーネントを組み合わせるためのヒントを送信するステップであって、前記ヒントは複数のドメインのうちの1つ以上に基づく、ステップ；
前記ヒントに基づく前記複数の言語モデリングコンポーネントのカスタマイズされた組み合わせを受信するステップ；及び
前記複数の言語モデリングコンポーネントのうちの1つ以上と前記ヒントとの間のコネクションを維持するステップ；
を有することを特徴とするシステム。
【請求項６】
前記プロセッサは、前記リストのうちの複数の言語モデリングコンポーネントを組み合わせるためのヒントを送信する際に、前記複数のドメインのうちの1つ以上に基づいて予めコンパイルされた言語モデルの選択肢を送信するように動作する、請求項5に記載のシステム。
【請求項７】
前記プロセッサは、前記リストのうちの複数の言語モデリングコンポーネントを組み合わせるためのヒントを送信する際に、前記複数のドメインのうちの1つ以上に基づいて、前記複数の言語モデリングコンポーネントについての固定ウェイトの組み合わせの選択肢を送信するように動作する、請求項5に記載のシステム。
【請求項８】
コンピュータ実行可能な命令を保存するコンピュータ読み取り可能な記録媒体であって、前記命令は、コンピュータにより実行されると、言語モデリングコンポーネントをカスタマイズする方法をコンピュータに実行させ、前記方法は：
言語モデリングコンポーネントのリストを提示するステップ；
前記リストのうちの複数の言語モデリングコンポーネントを組み合わせるためのヒントを送信するステップであって、前記ヒントは複数のドメインのうちの1つ以上に基づいており、前記複数のドメインのうちの1つ以上は、音声サーチドメイン及びショートメッセージ口述ドメインのうちの1つ以上を含む、ステップ；
前記ヒントに基づく前記複数の言語モデリングコンポーネントのカスタマイズされた組み合わせを受信するステップ；及び
前記複数の言語モデリングコンポーネントのうちの1つ以上と前記ヒントとの間のコネクションを維持するステップ；
を有することを特徴とする記録媒体。
【請求項９】
前記リストのうちの複数の言語モデリングコンポーネントを組み合わせるためのヒントを送信することが、前記複数のドメインのうちの1つ以上に基づいて予めコンパイルされた言語モデルの選択肢を送信することを含む、請求項8に記載の記録媒体。
【請求項１０】
前記リストのうちの複数の言語モデリングコンポーネントを組み合わせるためのヒントを送信することが、前記複数のドメインのうちの1つ以上に基づいて、前記複数の言語モデリングコンポーネントについての固定ウェイトの組み合わせの選択肢を送信することを含む、請求項8に記載の記録媒体。
【手続補正２】
【補正対象書類名】明細書
【補正対象項目名】発明の名称
【補正方法】変更
【補正の内容】
【発明の名称】言語モデルカスタマイズのための方法、システム及び記録媒体
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
ユーザ定義のキーワードのキーワードモデルを生成するための、電子デバイスにおいて実行される、方法であって、
前記ユーザ定義のキーワードを示す少なくとも1つの入力を受信するステップであって、前記少なくとも1つの入力は、前記ユーザ定義のキーワードを示す少なくとも1つのサンプルサウンドを含む、ステップと、
前記少なくとも1つのサンプルサウンドを少なくとも1つのタイプのノイズと混ぜることによって、少なくとも1つの混合サンプルサウンドを生成するステップと、
前記少なくとも1つのサンプルサウンドおよび前記少なくとも1つの混合サンプルサウンドからサブワードの少なくとも2のシーケンスを生成するとともに、サブワードの前記少なくとも2のシーケンスに基づいて、サブワードのシーケンスを判定するステップと、
サブワードの前記判定されたシーケンスおよび前記サブワードのサブワードモデルに基づいて、前記ユーザ定義のキーワードに関連する前記キーワードモデルを生成するステップであって、前記サブワードモデルは、音声データベースに基づいて、前記サブワードの複数の音響特性をモデル化するように構成される、ステップと、
前記ユーザ定義のキーワードに関連する前記キーワードモデルを音声起動ユニットに提供するステップと
を含み、
サブワードの前記少なくとも2つのシーケンスは、前記サブワードモデルに基づいて生成され、
前記方法は、前記ユーザ定義のキーワードに関連する前記キーワードモデルを生成するステップの前に：
所定の語句を示す入力サウンドを受信するステップと、
前記所定の語句を示す前記受信した入力サウンドから音響特性を抽出するステップと、
前記抽出した音響特性に基づいて、前記サブワードモデルを適合するステップと
をさらに含む、方法。
【請求項２】
前記ユーザ定義のキーワードに関連する前記キーワードモデルに基づいて、さらなる入力サウンド内の前記ユーザ定義のキーワードを、前記音声起動ユニットによって検出するステップをさらに含む、請求項1に記載の方法。
【請求項３】
前記ユーザ定義のキーワードに関連する機能を実行するステップ
をさらに含む、請求項2に記載の方法。
【請求項４】
前記ユーザ定義のキーワードに関連する前記キーワードモデルを生成するステップが、前記ユーザ定義のキーワードに関連する前記キーワードモデルの閾値スコアを判定するステップを含む、請求項1に記載の方法。
【請求項５】
前記ユーザ定義のキーワードに関連する前記キーワードモデルが、
前記ユーザ定義のキーワードを示すテスト入力サウンドを受信するステップと、
前記ユーザ定義のキーワードに関連する前記キーワードモデルに基づいて前記テスト入力サウンドのマッチングスコアを判定するステップと、
前記マッチングスコアに基づいて前記ユーザ定義のキーワードに関連する前記キーワードモデルの前記閾値スコアを適合させるステップと
によって、適合される、請求項4に記載の方法。
【請求項６】
前記サブワードの少なくとも1つのシーケンスのうちの前記サブワードが、音、音素、トライフォン、および音節のうちの少なくとも1つを含む、請求項1に記載の方法。
【請求項７】
サブワードのシーケンスの最初および/または最後のサブワード単位が沈黙部分かどうかを判定するステップと、
サブワードのシーケンスの最初および/または最後の前記サブワード単位が沈黙部分ではないと判定されることに応答して、前記サブワードのシーケンスの最初および/または最後のそれぞれに、サブワード単位として沈黙部分を追加するステップと
をさらに含む、請求項1に記載の方法。
【請求項８】
前記少なくとも1つの入力が、前記ユーザ定義のキーワードのテキストをさらに含む、請求項1に記載の方法。
【請求項９】
ユーザ定義のキーワードのキーワードモデルを生成するための電子デバイスであって、
前記ユーザ定義のキーワードを示す少なくとも1つの入力を受信するように構成された入力ユニットであって、前記入力ユニットは、前記少なくとも1つの入力として、前記ユーザ定義のキーワードを示す少なくとも1つのサンプルサウンドを受信するように構成されたサウンドセンサを含む、入力ユニットと、
前記少なくとも1つのサンプルサウンドを少なくとも1つのタイプのノイズと混ぜることによって、少なくとも1つの混合サンプルサウンドを生成するように構成された混合サウンド生成ユニットと、
前記少なくとも1つのサンプルサウンドおよび前記少なくとも1つの混合サンプルサウンドからサブワードの少なくとも2のシーケンスを生成するように構成されたサブワード認識ユニットと、
音声起動ユニットと、
サブワードの前記少なくとも2のシーケンスに基づいて、サブワードのシーケンスを判定し、サブワードの前記判定されたシーケンスおよび前記サブワードのサブワードモデルに基づいて、前記ユーザ定義のキーワードに関連する前記キーワードモデルを生成し、前記ユーザ定義のキーワードに関連する前記キーワードモデルを前記音声起動ユニットに提供するように構成されたユーザ定義のキーワードモデル生成ユニットと、
前記ユーザ定義のキーワードモデルに関連する前記キーワードモデルが生成される前に、前記サウンドセンサによって受信された少なくとも1つの語句の入力サウンドに基づいて前記サブワードモデルを適合するように構成された事前適応ユニットとを備え、
前記サブワードモデルは、音声データベースに基づいて前記サブワードの複数の音響特性をモデル化するように構成され、サブワードの前記少なくとも2のシーケンスは、前記サブワードモデルに基づいて生成される、電子デバイス。
【請求項１０】
前記音声起動ユニットは、前記ユーザ定義のキーワードに関連する前記キーワードモデルに基づいて、入力サウンド内の前記ユーザ定義のキーワードを検出するように構成された、請求項9に記載の電子デバイス。
【請求項１１】
前記音声起動ユニットが、前記ユーザ定義のキーワードに関連する機能を実行するように構成された、請求項9に記載の電子デバイス。
【請求項１２】
電子デバイスにおけるユーザ定義のキーワードのキーワードモデルを生成するための命令を格納する非一時的コンピュータ可読記憶媒体であって、前記命令は、プロセッサに請求項1〜8のいずれか一項に記載の方法を実行させる、非一時的コンピュータ可読記憶媒体。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
ターゲット画像シーンをキャプチャするように構成された少なくとも１つのカメラを備える撮像システムであって、前記少なくとも１つのカメラは、
センサー要素のアレイを備える画像センサーと、
受信された光の部分を第１の方向に誘導するように構成されたプライマリ光屈曲表面と、
前記プライマリ光屈曲表面から受信された光を前記画像センサーへと第２の方向に方向変換するように構成された、光を方向変換するための手段と、
レンズアセンブリ、前記レンズアセンブリは、
前記光を方向変換するための手段と前記画像センサーとの間に配置された少なくとも１つの固定レンズ、前記少なくとも１つの固定レンズは、前記光を方向変換するための手段に機械的に結合された第１の表面と、前記画像センサーに機械的に結合された第２の表面とを有し、ここにおいて、前記少なくとも１つの固定レンズは、フィールド補正レンズを備える、と、
前記プライマリ光屈曲表面と前記光を方向変換するための手段との間に配置された少なくとも１つの可動レンズと
を備える、と、
前記少なくとも１つの可動レンズを、前記レンズアセンブリを通って前記画像センサー上に伝播する光の焦点を合わせるように動かすための手段と
を備える、撮像システム。
【請求項２】
前記光を方向変換するための手段は、光を前記第２の方向に方向変換するための光方向変換される手段が前記画像センサーに向かって伝播するための出力表面を備え、前記少なくとも１つの固定レンズは、前記出力表面に接続される、
請求項１に記載の撮像システム。
【請求項３】
前記画像センサーと前記少なくとも１つの固定レンズとの間に配列された前記画像センサーを保護するための手段をさらに備える、
請求項１に記載の撮像システム。
【請求項４】
前記画像センサーを前記保護するための手段は、カバーガラスを備える、
請求項３に記載の撮像システム。
【請求項５】
前記カバーガラスは、前記少なくとも１つの固定レンズに結合された第１のカバーガラス表面を備える、
請求項４に記載の撮像システム。
【請求項６】
前記カバーガラスは、前記画像センサーに結合された第２のカバーガラス表面を備える、
請求項５に記載の撮像システム。
【請求項７】
前記光を方向変換するための手段、前記少なくとも１つの固定レンズ、前記カバーガラス、および画像センサーは、互いに対して固定するように機械的に連結される、
請求項４に記載の撮像システム。
【請求項８】
前記少なくとも１つの固定レンズは、
前記画像センサーに平行するとともに前記光学要素に近接して配列された実質的に平坦な面を有する平凹レンズと、
前記実質的に平坦な面に対向して配列され、前記画像センサーに近接して配列された凹面と
を備える、請求項１に記載の撮像システム。
【請求項９】
前記光を方向変換するための手段は、プリズムを備える、
請求項１に記載の撮像システム。
【請求項１０】
前記光を方向変換するための手段は鏡を備える、
請求項１に記載の撮像システム。
【請求項１１】
前記少なくとも１つのカメラは、前記アクチュエータと前記少なくとも１つの可動レンズとの間で結合された前記少なくとも１つの可動レンズを安定させるための少なくとも１つの手段をさらに備え、前記安定させるための少なくとも１つの手段は、光軸から離れる、または前記光軸の周りを回転する前記少なくとも１つの可動レンズの動きを抑制するために、前記カメラ内の表面とスライド可能にかみ合わせるように配置され、前記光軸は、前記第１の方向に実質的に平行である、
請求項１に記載の撮像システム。
【請求項１２】
前記少なくとも１つのカメラは、前記ターゲット画像シーンの対応する複数の部分をキャプチャするように構成された複数のカメラを備え、前記撮像システムは、前記対応する複数の部分に少なくとも部分的に基づいて、前記ターゲット画像シーンの最終画像を生成するように構成されたプロセッサをさらに備える、
請求項１に記載の撮像システム。
【請求項１３】
センサー要素のアレイを備える画像センサーを有する少なくとも１つのカメラでターゲット画像シーンをキャプチャする方法であって、
プライマリ光屈曲表面を使用して受信された光の部分を第１の方向に誘導することと、
セカンダリ光屈曲表面を有する光学要素を使用して前記プライマリ光屈曲表面から受信された光を第２の方向に方向変換することと
前記セカンダリ光屈曲表面と前記画像センサーとの間に配置された少なくとも１つの固定レンズを使用して前記方向変換された光を補正すること、前記少なくとも１つの固定レンズは、前記光学要素に機械的に結合された第１の表面と、前記画像センサーに機械的に結合された第２の表面とを有し、前記少なくとも１つの固定レンズは、フィールド補正レンズを備え、前記少なくとも１つの可動レンズは、前記プライマリ光屈曲表面をと前記光学要素との間に配置され、
前記光学要素、前記少なくとも１つの固定レンズおよび前記画像センサーの相対的な配置を維持したまま、アクチュエータを使用して少なくとも１つの可動レンズを動かすことによって、前記ターゲット画像シーンに前記少なくとも１つのカメラの焦点を合わせること、ここにおいて、前記少なくとも１つの可動レンズは、前記プライマリ光屈曲表面をと前記光学要素との間に配置される、と
を備える、方法。
【請求項１４】
前記少なくとも１つのカメラは複数のカメラを備え、前記方法は、前記複数のカメラから画像を受信することをさらに備え、前記複数のカメラから受信された前記画像の少なくとも一部分を備える画像を形成する、
請求項１３に記載の方法。
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
画像センサーおよびプライマリ光屈曲表面を有する屈曲光学画像システムのためのオートフォーカスデバイスであって、
前記プライマリ光屈曲表面から光を受信するように構成された入力表面と、画像センサーの方に向かう第２の方向に、前記受信された光を方向変換するように構成されたセカンダリ光屈曲表面と、前記セカンダリ光屈曲表面によって方向変換された光が前記画像センサーの方に向かう前記第２の方向に伝播するための出力表面とを有する光学要素と、
レンズアセンブリ、前記レンズアセンブリは、
前記光学要素の前記出力表面に接続される第１の表面と前記画像センサーに結合される第２の表面とを有する固定部分、ここにおいて、前記レンズアセンブリの前記固定部分は、フィールド補正レンズを備える、と、
前記画像センサーと前記プライマリ光屈曲表面との間の光学経路中に配置された可動部分と
を備える、と、
前記画像センサーによって形成された平面に実質的に平行な方向の光軸に沿って前記レンズアセンブリの前記可動部分を動かすように構成されたアクチュエータと、
前記モータと前記レンズアセンブリの前記可動部分に結合された少なくとも１つのガイドレール、前記少なくとも１つのガイドレールは、前記光軸から離れる、または前記光軸の周りを回転する前記レンズアセンブリの前記可動部分の動きを抑制するために、前記屈曲光学画像システム内の別の表面とスライド可能にかみ合わせるように配置される、と
を備える、オートフォーカスデバイス。
【請求項２】
前記別の表面とスライド可能にかみ合わせる前記ガイドレールは、チルト、ロール、ピッチ、ヨー回転方向におけるおよび線形Ｘ、Ｙ、およびＺ方向における前記レンズアセンブリの前記可動部分の動きを抑制する、
請求項１に記載のオートフォーカスデバイス。
【請求項３】
前記モータは、ボイスコイルモータ、圧電性ステッパーモータ、マイクロ電子機械システム、または形状記憶合金のうちの１つを備える、
請求項１に記載のオートフォーカスデバイス。
【請求項４】
前記センサーの光受信表面にわたって取り付けられたカバーガラスをさらに備え、前記フィールド補正レンズは、前記カバーガラスに結合される、
請求項３に記載のオートフォーカスデバイス。
【請求項５】
前記画像センサーのピクセルのピクセルピッチは、１．１μｍである、請求項１に記載のオートフォーカスデバイス。
【請求項６】
画像センサーを備えるターゲット画像シーンの複数の部分をキャプチャするための手段と、
先行する請求項のうちの任意の１つにしたがうオートフォーカスドライバと
を備える、画像キャプチャ装置。
【請求項７】
ターゲット画像シーンの複数の部分を前記キャプチャするための手段は、アレイ中に配列された複数の屈曲光学カメラを備える、
請求項６に記載の装置。
【請求項８】
ターゲット画像シーンの複数の部分をキャプチャするための手段は、
ターゲット画像シーンの対応する複数の部分をキャプチャするように構成された複数のカメラを備え、前記複数のカメラのうちの１つのカメラは、
画像センサーを備える、
請求項６に記載の画像キャプチャシステム。
【請求項９】
前記画像センサーと前記レンズアセンブリの前記固定部分との間に結合されるカバーガラスをさらに備え、前記カバーガラスは、前記レンズアセンブリの前記固定部分の前記第２の表面に結合される第１のカバーガラス表面と前記画像センサーに結合される第２のカバーガラス表面とを備え、
前記第１の方向、前記光学要素の出力表面、前記レンズアセンブリの前記固定部分の第１の表面、第１のカバーガラス表面、第２のカバーガラス表面は、前記画像センサーによって形成された平面に概して平行であり、
前記光学要素は、前記画像センサーによって形成された前記平面に概して平行に伸びるガイド表面をさらに備え、前記ガイド表面は、前記少なくとも１つのガイドレールがスライド可能にかみ合わせるように配置される前記カメラ内の前記別の表面を備え、
前記光学要素の前記入力表面は、前記画像センサーによって形成された前記平面に概して垂直であり、
前記セカンダリ光屈曲表面は、前記光学要素の前記ガイド表面と前記光学要素の前記出力表面との間の角度に伸びる、
請求項８に記載のシステム。
【請求項１０】
前記光学要素、前記レンズアセンブリの固定部分、カバーガラス、および画像センサーは、スタック内に接着される、
請求項９に記載のシステム。
【請求項１１】
基板をさらに備え、前記複数のカメラの各々の前記画像センサーは、前記基板におけるスロット中に挿入される、
請求項８に記載のシステム。
【請求項１２】
摩擦を低減するために前記レンズアセンブリの前記可動部分および前記少なくとも１つのガイドレールの１つまたは両方に接触するように配置された、グライド、インターロックグルーブ、磁界、油、ボールベアリング、空気、ガス、または水のうちの１つまたは複数をさらに備える、
請求項８に記載のシステム。
【請求項１３】
前記アクチュエータは、前記プライマリ光屈曲表面を備えるプリズムの出力表面と前記セカンダリ光屈曲表面を備える前記光学要素の前記入力表面との間に形成される空間内の前記第１の方向に前記レンズアセンブリの前記可動部分を動かすように構成される、
請求項８に記載のシステム。
【請求項１４】
前記プライマリ光屈曲表面は、鏡および屈折プリズムのうちの１つを備える、
前記光学要素は、鏡および屈折プリズムのうちの１つを備える、および／または
前記光学要素は、前記屈折プリズムを備え、前記セカンダリ光屈曲表面で前記屈折プリズムに取り付けられた支持ブロックと、前記プリズムの下部プリズム表面と、前記少なくとも１つのガイドレールがスライド可能にかみ合わせるように配置された前記カメラ内の前記別の表面を備える前記支持ブロックの下部ブロック表面とをさらに備える、
請求項８に記載のシステム。
【請求項１５】
画像キャプチャシステムを製造する方法であって、アレイ中の複数のカメラの各々に対して、
基板上に画像センサーを配列することと、
前記画像センサーの光受信表面にカバーガラスを取り付けることと、
基板のスロット中に前記画像センサーを置くことと、
前記基板におけるアパーチャ中にプライマリ光屈曲表面を置くこと、前記プライマリ光屈曲表面は、前記画像センサーの方に向かう第１の方向に、ターゲット画像シーンの複数の部分のうちの１つの部分を表す光を方向変換するように配置される、と、
前記カバーガラスに固定レンズを取り付けること、ここにおいて、前記固定レンズは、フィールド補正レンズを備える、と、
前記固定レンズにセカンダリ光屈曲表面を備える光学要素を取り付けること、前記セカンダリ光屈曲表面は、前記画像センサーの方に向かう第２の方向に、前記光を方向変換するように配置される、と、
前記光学要素と前記プライマリ光屈曲表面との間に形成される空間に可動レンズアセンブリを設けることと、
アクチュエートする手段が、光軸から離れる、または前記光軸の周りを回転する前記可動レンズアセンブリの動きを抑制するように、前記第１の方向に実質的に平行な前記光軸に沿って前記可動レンズアセンブリを動かすために前記可動レンズアセンブリに前記アクチュエートする手段を結合することと
を備える、方法。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
超音波振動子を有するデバイスと移動オブジェクトとの間の接触の程度を決定するための接触決定装置であって、
当該接触決定装置は、前記デバイスの周囲における動作を示す超音波信号を供給する動作分布決定ユニットを通じて前記デバイスに動作可能なように結合されるように適合され、
当該接触決定装置は、前記動作分布決定ユニットから受信された信号から前記移動オブジェクトを有する前記デバイスの周囲における速度の変化を決定するように適合され、
当該接触決定装置は、前記速度の変化に基づいて前記デバイスと前記移動オブジェクトとの間の接触の程度を決定するように構成される、接触決定装置。
【請求項２】
前記速度値の変化は、前記動作分布決定ユニットから受信される前記デバイスの周囲における動作を示す信号から深度−時間ウインドウのために決定される、請求項１に記載の接触決定装置。
【請求項３】
前記深度−時間ウインドウは、時間的に移動するように適合される、請求項２に記載の接触決定装置。
【請求項４】
当該接触決定装置は、第１の閾値より大きな速度値の変化の数と前記深度−時間ウインドウにおける速度値の変化の全体数との間の比により規定される割合を決定するように適合され、
前記接触の程度は、決定された割合に基づく、請求項２に記載の接触決定装置。
【請求項５】
当該接触決定装置は、前記決定された割合を閾値設定することにより、前記接触の程度を決定するように適合される、請求項４に記載の接触決定装置。
【請求項６】
当該接触決定装置は、第２の閾値、及び、前記第２の閾値より大きな第３の閾値を与えるように適合され、
前記接触の程度が、
ａ）前記割合が前記第２の閾値より小さい場合には連続接触であること、
ｂ）前記割合が前記第３の閾値より大きい場合には接触がないこと、
ｃ）そうでなければ断続的な接触であること、を決定するように適合される、請求項４に記載の接触決定装置。
【請求項７】
当該接触決定装置は、少なくとも、
ａ）前記デバイスと前記オブジェクトとの間に連続接触があること、
ｂ）前記デバイスと前記オブジェクトとの間に接触がないこと、
ｃ）前記デバイスと前記オブジェクトとの間に断続的な接触があること、を区別するように適合される、請求項１に記載の接触決定装置。
【請求項８】
請求項１に記載の接触決定装置と、前記デバイスの周囲における動作を示す信号を供給するための動作分布決定ユニットとを有する、システム。
【請求項９】
エネルギソースと、エネルギ付与デバイスと、請求項８に記載のシステムとを有するエネルギ付与システムであって、
前記エネルギ付与デバイスは、前記エネルギソースに動作可能なように結合され、
前記エネルギ付与デバイスは、前記動作分布決定ユニットに動作可能なように結合される超音波振動子を更に有し、
前記接触決定装置は、前記エネルギ付与デバイスと前記移動オブジェクトとの間の接触の程度を決定するように構成される、エネルギ付与システム。
【請求項１０】
前記エネルギソースは、前記接触決定装置が前記エネルギ付与デバイスと前記オブジェクトとの間の連続接触を決定したときにのみ、前記エネルギ付与デバイスにエネルギを供給するように適合される、請求項９に記載のエネルギ付与システム。
【請求項１１】
ナビゲーションユニットを更に有する、請求項１０に記載のエネルギ付与システム。
【請求項１２】
超音波振動子を有するデバイスと移動オブジェクトとの間の接触の程度を決定するための接触決定方法であって、
前記デバイスから動作分布決定ユニットに超音波信号を与えるステップであって、前記超音波信号は、オブジェクトを有する前記デバイスの周囲における動作を示す、ステップと、
前記動作分布信号から速度の変化を決定するステップと、
前記速度の変化に基づいて前記デバイスと前記オブジェクトとの間の接触の程度を決定するステップとを有する、接触決定方法。
【請求項１３】
エネルギ付与デバイスをオブジェクトまでナビゲートするステップと、
請求項１２に従ってエネルギ付与デバイスとオブジェクトとの間の接触の程度を決定するステップと、
前記エネルギ付与デバイスと前記オブジェクトとの間の連続接触が決定されたときに前記オブジェクトに対するエネルギ付与を実行するステップとを有する、エネルギ付与方法。
【請求項１４】
デバイスと移動オブジェクトとの間の接触の程度を決定するためのコンピュータ実行可能なプログラムを格納したコンピュータ可読媒体であって、
前記コンピュータプログラムは、前記コンピュータプログラムが請求項１に記載の接触決定装置を制御するコンピュータ上で実行されたときに、前記接触決定装置に、請求項１２に記載の接触決定方法のステップを実行させるためのプログラムコード手段を有する、コンピュータ可読媒体。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
ヒドロキシラーゼ活性を有するポリペプチドであって、第１の触媒ドメイン及び第２の触媒ドメインを含み、
前記第１の触媒ドメインが、配列番号１００のアミノ酸配列、又はその第１の変異体を含み、ここで、前記第１の変異体のアミノ酸残基が、位置１、９、１４、１６−１７、１９−２０、２２−２３、２６−２９、３１−３２、３４−３６、３９−４０、４５−４６、４８−５３、５５−５６及び５８−６１で、配列番号１００のアミノ酸残基と、少なくとも８０％同一であり；
前記第２の触媒ドメインが、配列番号１０１のアミノ酸配列、又はその第２の変異体を含み、ここで、前記第２の変異体のアミノ酸残基が、配列番号１０１のアミノ酸残基と、位置１−２、５−６、９−１０、１３、１７、２０−２９、３１、３４−３６、３８−４３、４５−４７、４９−５２、５５、５７−５９、６３−６４、６７−６８、７１、７３−７４及び７６で、少なくとも８０％同一である、
ポリペプチド。
【請求項２】
前記第１の触媒ドメインが、配列番号１００のアミノ酸配列、又はその第１の変異体を含み、ここで、前記第１の変異体のアミノ酸残基が、位置１、９、１４、１６−１７、１９−２０、２２−２３、２６−２９、３１−３２、３４−３６、３９−４０、４５−４６、４８−５３、５５−５６及び５８−６１で、配列番号１００のアミノ酸残基と、少なくとも９０％同一であり；
前記第２の触媒ドメインが、配列番号１０１のアミノ酸配列、又はその第２の変異体を含み、ここで、前記第２の変異体のアミノ酸残基が、位置１−２、５−６、９−１０、１３、１７、２０−２９、３１、３４−３６、３８−４３、４５−４７、４９−５２、５５、５７−５９、６３−６４、６７−６８、７１、７３−７４及び７６で、配列番号１０１のアミノ酸残基と、少なくとも９０％同一である、
請求項１に記載のポリペプチド。
【請求項３】
前記第１の触媒ドメインが、配列番号１００のアミノ酸配列、又はその第１の変異体を含み、ここで、前記第１の変異体のアミノ酸残基が、位置１、９、１４、１６−１７、１９−２０、２２−２３、２６−２９、３１−３２、３４−３６、３９−４０、４５−４６、４８−５３、５５−５６及び５８−６１で、配列番号１００のアミノ酸残基と、少なくとも９５％同一であり；
前記第２の触媒ドメインが、配列番号１０１のアミノ酸配列、又はその第２の変異体を含み、ここで、前記第２の変異体のアミノ酸残基が、位置１−２、５−６、９−１０、１３、１７、２０−２９、３１、３４−３６、３８−４３、４５−４７、４９−５２、５５、５７−５９、６３−６４、６７−６８、７１、７３−７４及び７６で、配列番号１０１のアミノ酸残基と、少なくとも９５％同一である、
請求項１に記載のポリペプチド。
【請求項４】
前記第１の触媒ドメインが、配列番号１０２、１０３又は１０４の配列と、少なくとも８０％同一のアミノ酸配列を含み；
前記第２の触媒ドメインが、配列番号１０５、１０６又は１０７の配列と少なくとも８０％同一のアミノ酸配列を含む、
請求項１に記載のポリペプチド。
【請求項５】
前記第１の触媒ドメインが、配列番号１０２、１０３又は１０４の配列と少なくとも９０％同一のアミノ酸配列を含み；
前記第２の触媒ドメインが、配列番号１０５、１０６又は１０７の配列と少なくとも９０％同一のアミノ酸配列を含む、
請求項１に記載のポリペプチド。
【請求項６】
前記第１の触媒ドメインが、配列番号１０２、１０３又は１０４の配列と少なくとも９５％同一のアミノ酸配列を含み；
前記第２の触媒ドメインが、配列番号１０５、１０６又は１０７の配列と少なくとも９５％同一のアミノ酸配列を含む、
請求項１に記載のポリペプチド。
【請求項７】
前記ポリペプチドが、以下の反応：
カンタキサンチンからのアドニルビンの形成、
アドニルビンからのアスタキサンチンの形成、
β−カロチンからのβ−クリプトキサンチンの形成、
β−クリプトキサンチンからのゼアキサンチンの形成
のうち少なくとも１つを触媒する、
請求項１に記載のポリペプチド。
【請求項８】
前記アスタキサンチンが、３Ｓ，  ３Ｓ'−アスタキサンチンである、請求項７に記載のポリペプチド。
【手続補正２】
【補正対象書類名】明細書
【補正対象項目名】配列表
【補正方法】変更
【補正の内容】
【配列表】
2017515512000001.app
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
生理的状態に関連する使用者の緊急状態を評価する方法であって、
ａ．生理的状態に関連する第１の種類のデータを受信するための手段と、
ｂ．前記生理的状態に関連する第２の種類のデータを計算するための手段と、
ｃ．前記生理的状態に関連する第３の種類のデータを受信するための手段と、
ｄ．前記第１の種類、第２の種類、及び第３の種類の前記受信されたデータに少なくとも基づいて緊急度指数を決定するための手段と、
ｅ．モバイルデバイス上に前記決定された緊急度指数の表示を提供するための手段と、を含む、方法。
【請求項２】
前記生理的状態は、糖尿病であり、前記緊急度指数は、血糖緊急度指数であり、前記第１の種類のデータは、グルコース濃度である、請求項１に記載の方法。
【請求項３】
前記グルコース濃度は、現在の測定されたグルコース濃度、過去に測定されたグルコース濃度、または未来の予測されるグルコース濃度である、請求項２に記載の方法。
【請求項４】
前記第２の種類のデータは、前記第１の種類のデータから得られる、請求項１、２、または３に記載の方法。
【請求項５】
前記第１の種類のデータから得られる前記第２の種類のデータは、前記第１の種類のデータの時間に関する第１の導関数または第２の導関数である、請求項４に記載の方法。
【請求項６】
前記第１の種類のデータから得られる前記第２の種類のデータには、正常グルコースパターンからの偏差、経時的グルコース値のパターンデータ、予測されるグルコース値、グルコース値が規定の範囲内にある持続時間、前記緊急度指数の決定で考慮されるパラメータもしくは変数の重み付け、または前記第１の種類のデータの極大値もしくは極小値が含まれる、請求項４に記載の方法。
【請求項７】
前記第３の種類のデータを前記受信するための手段には、使用者によって入力されたデータを受信するための手段が含まれる、請求項１〜６のいずれかに記載の方法。
【請求項８】
前記受信するための手段には、モバイルデバイスのユーザーインターフェース上で使用者によって入力されたデータを受信するための手段が含まれる、請求項７に記載の方法。
【請求項９】
前記生理的状態は、糖尿病であり、前記緊急度指数は、血糖緊急度指数であり、前記第１の種類のデータは、グルコース濃度であり、前記使用者によって入力された受信されたデータには、使用者の体重、活動レベルの使用者表示、摂取されたかもしくは摂取される食品または飲料の使用者表示、身体計測データ、前記使用者に提供された前のインスリンに関するデータ、ストレスデータ、健康データ、前記第１の種類のデータを測定するセンサの配置に関するデータ、年齢、あるいは性別が含まれる、請求項７または８に記載の方法。
【請求項１０】
前記使用者によって入力された受信されたデータには、摂取されたかもしくは摂取される食品または飲料の使用者表示、あるいは前記使用者に提供されたかもしくは前記使用者に提供される前のインスリンに関するデータが含まれ、前記方法は前記受信されたデータに基づいて前記血糖緊急度指数がより低い緊急性であると決定するための手段をさらに含む、請求項７、８、または９に記載の方法。
【請求項１１】
前記第３の種類のデータを前記受信する手段には、センサからデータを受信するための手段が含まれる、請求項１〜１０のいずれかに記載の方法。
【請求項１２】
前記生理的状態は、糖尿病であり、前記緊急度指数は、血糖緊急度指数であり、前記第１の種類のデータは、グルコース濃度であり、前記センサには、目盛り、血糖計、体温計、加速度計、カメラ、ＧＰＳデバイス、またはマイクのうちの少なくとも１つが含まれる、請求項１１に記載の方法。
【請求項１３】
前記受信された第３の種類のデータには、使用者の体重、活動レベルの使用者表示、摂取されたかもしくは摂取される食品または飲料の表示、身体計測データ、前記使用者に提供された前のインスリンに関するデータ、生理的データ、ストレスデータ、または健康データが含まれる、請求項１２に記載の方法。
【請求項１４】
前記第３の種類のデータを前記受信する手段には、照会処理エンジン、機械が機械対話するように構成された電子デバイス、または電子使用者記録からのデータを受信するための手段が含まれる、請求項１〜１３のいずれかに記載の方法。
【請求項１５】
前記第３の種類のデータは、前記モバイルデバイスから受信され、アプリケーションとの使用者対話のレベルに対応し、前記表示はアプリケーションを通して提供される、請求項１〜１４のいずれかに記載の方法。
【請求項１６】
前記緊急度指数がそれぞれ規定の警告閾値または警報閾値に達した場合、警告または警報を提供するための手段をさらに含む、請求項１〜１５のいずれかに記載の方法。
【請求項１７】
前記緊急度指数は、血糖指数であり、前記規定の警告閾値または警報閾値は、前記使用者が低血糖状態または高血糖状態にあることを示す、請求項１６に記載の方法。
【請求項１８】
前記生理的状態は、肥満、栄養失調、活動過多、鬱、または多産のうちの１つまたは複数を含む、請求項１に記載の方法。
【請求項１９】
前記受信された入力に基づいて高度な出力を提供するための手段をさらに含む、請求項１〜１８のいずれかに記載の方法。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
容器中で、嫌気性微生物又は微好気性微生物を含有する試料、嫌気性微生物又は微好気性微生物の増殖を支持する所定体積の培地、及び酸素捕捉系を含む水性混合物を形成することであって、
前記酸素捕捉系が有効量のｉ）酸化還元酵素ファミリーの酵素及びｉｉ）前記酵素の基質を含み、
前記酸素捕捉系が、水和されると活性化され、それにより前記培地中の溶存酸素を、前記嫌気性微生物又は微好気性微生物の増殖を促進する濃度まで減少させ、
前記酵素が、アスコルビン酸オキシダーゼ及びラッカーゼからなる群から選択される、
ことと、
前記水性混合物を、前記嫌気性微生物又は微好気性微生物の少なくとも１回の細胞分裂を促進する条件下でインキュベートすることと、を含み、
前記培地中の溶存酸素を前記嫌気性微生物又は微好気性微生物の増殖を促進する濃度まで減少させることが、前記培地中の溶存酸素を約１００μＭ以下の濃度にまで欠乏させることを含む、方法。
【請求項２】
前記嫌気性微生物又は前記微好気性微生物の増殖を検出することを更に含む、請求項１に記載の方法。
【請求項３】
微好気性微生物又は嫌気性微生物を培養するための培養システムであって、
有効量のｉ）アスコルビン酸オキシダーゼ及びラッカーゼからなる群から選択される、酸化還元酵素ファミリーの酵素及びｉｉ）前記酵素の基質と、
容器と、
前記嫌気性又は微好気性微生物の増殖を支持する所定体積の水性培地と、を含み、
前記有効量が、前記所定体積中の溶存酸素を微好気性微生物又は偏性嫌気性微生物の増殖を促進する濃度まで減少させるのに有効である、培養システム。
【請求項４】
密封可能な容器と、
ｉ）アスコルビン酸オキシダーゼ及びラッカーゼからなる群から選択される酸化還元酵素ファミリーの酵素及びｉｉ）前記酵素の基質を含む酸素捕捉系と、を含む、キット。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
散髪器具のための調整可能な離間コームに対する調整駆動装置であって、
前記散髪器具の刃のセットに関して前記調整可能な離間コームの可動のコーム部分を駆動させるように構成された駆動装置であり、電気モータである駆動装置と、
該駆動装置及び前記可動のコーム部分を結合させるように構成されたドライブトレインであり、減速ギヤユニットを含むドライブトレインと、
ロータリーエンコーダを含む位置検出ユニットであり、前記ロータリーエンコーダは、前記減速ギヤユニットの出力軸に結合する、位置検出ユニットと、
を含む調整駆動装置。
【請求項２】
前記電気モータは高速の電気モータであり、前記減速ギヤユニットは、少なくとも１つの減速ギヤ段を含む、請求項１に記載の調整駆動装置。
【請求項３】
前記減速ギヤユニットの出力軸は、第１の歯付き部及び第２の歯付き部を含み、前記第１の歯付き部は、前記可動のコーム部分と結合するように配置され、さらに、前記第２の歯付き部は、前記ロータリーエンコーダと結合するように配置される、請求項１に記載の調整駆動装置。
【請求項４】
前記減速ギヤユニットの出力軸は、前記可動のコーム部分を駆動させるための直進運動要素と結合するように配置される、請求項１に記載の調整駆動装置。
【請求項５】
前記直進運動要素は、前記出力軸の長軸延長方向に関して傾斜させられる主要な延長方向を含む、請求項４に記載の調整駆動装置。
【請求項６】
前記第１の歯付き部が、クラウンギヤ又はベベルギヤ部を含み、前記第２の歯付き部がスパーギヤ部を含み、前記クラウンギヤ又はベベルギヤ部は、前記可動のコーム部分と結合するように配置され、さらに、前記スパーギヤ部は、前記ロータリーエンコーダと結合するように配置される、請求項３に記載の調整駆動装置。
【請求項７】
前記クラウンギヤ又はベベルギヤ部及びスパーギヤ部は、前記可動のコーム部分及び前記ロータリーエンコーダに関連しているそのそれぞれの対応するギヤ部と、少ないバックラッシュを有して係合するように配置される、請求項６に記載の調整駆動装置。
【請求項８】
前記位置検出ユニットは、前記出力軸と前記ロータリーエンコーダとの間に配置される検出器軸をさらに含む、請求項１に記載の調整駆動装置。
【請求項９】
前記ロータリーエンコーダは、高分解能ロータリーエンコーダである、請求項１に記載の調整駆動装置。
【請求項１０】
前記駆動装置及び前記ロータリーエンコーダに結合する制御ユニットをさらに含み、該制御ユニットは、前記位置検出ユニットによって検出される実際の前記可動のコーム部分の位置を表す位置信号に基づいて前記駆動装置を作動させるように配置される、請求項１に記載の調整駆動装置。
【請求項１１】
前記制御ユニットは、前記可動のコーム部分が精密に調整可能であるように当該調整駆動装置を作動させるように構成され、達成される漸進的な長さ調整ステップは、０．１ｍｍから０．５ｍｍの範囲内にある、請求項１０に記載の調整駆動装置。
【請求項１２】
当該調整駆動装置は、高い総合的な繰り返し性で前記可動のコーム部分を調整するように構成され、総合的な長さ調整の繰返し性は、０．１ｍｍから０．５ｍｍの範囲内にある、請求項１０に記載の調整駆動装置。
【請求項１３】
前記減速ギヤユニットは、安価な減速ギヤユニットであり、前記減速ギヤユニットの少なくとも一部のギヤは、プラスチック材料から少なくとも部分的に作製される、請求項１に記載の調整駆動装置。
【請求項１４】
散髪器具であって、
ハウジング部分、
刃のセットを含むカッティングユニット、
調整可能な離間コームであり、当該散髪器具の前記ハウジング部分に関して動かすことができる可動のコーム部分を含む調整可能な離間コーム、及び、
調整駆動装置、
を含み、
前記調整駆動装置は、
当該散髪器具の前記刃のセットに関して前記調整可能な離間コームの前記可動のコーム部分を駆動させるように構成された駆動装置であり、電気モータである駆動装置と、
該駆動装置及び前記可動のコーム部分を結合させるように構成されたドライブトレインであり、減速ギヤユニットを含むドライブトレインと、
ロータリーエンコーダを含む位置検出ユニットであり、前記ロータリーエンコーダは、前記減速ギヤユニットの出力軸に結合し、さらに、前記ロータリーエンコーダは、電気信号を出力するように構成される、位置検出ユニットと、
を含む、散髪器具。
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
一つ以上の螺旋がそれぞれ形成される一対の螺旋棒、
上記一つ以上の螺旋とスライド移動可能に結合される一つ以上の螺旋結合部が両側に形成されて上記一対の螺旋棒を連結するクロスバー、
上記一対の螺旋棒が回転可能に設置されるフレームまたは本体、そして
上記クロスバーと一体にならず分離して形成されて、上記フレームまたは本体にクロスバーが上下に、独立にスライドするように設置される一つ以上のハンドルバー、を含み、
上記クロスバーの上下移動可能な距離が、上記一つ以上のハンドルの上下のスライド移動可能な距離より小さいことを特徴とする、キャリーの車輪が畳まれるか広がるようにするための螺旋棒の回転装置。
【請求項２】
上記一つ以上のハンドルバーの上下スライド移動によって、上記一つ以上のハンドルバーが上記クロスバーと接するか分離することができることを特徴とする、請求項１に記載のキャリーの車輪が畳まれるか広がるようにするための螺旋棒の回転装置。
【請求項３】
上記クロスバーに上方向または下方向に復元力を提供する一つ以上の弾性部材をさらに含むことを特徴とする、請求項１に記載のキャリーの車輪が畳まれるか広がるようにするための螺旋棒の回転装置。
【請求項４】
上記クロスバーが上下移動するとき上記クロスバーの均衡を維持するために、上記クロスバーから上方向または下方向に一定長さ延びて形成された一つ以上のガイドバーをさらに含む、請求項１に記載のキャリーの車輪が畳まれるか広がるようにするための螺旋棒の回転装置。
【請求項５】
上記螺旋はそれぞれ溝で形成され、上記螺旋結合部はそれぞれピンで形成されて、上記螺旋の溝に上記螺旋結合部がそれぞれ挿入されることにより上記螺旋結合部が上記螺旋に沿ってスライド移動が可能であることを特徴とする、請求項１に記載のキャリーの車輪が畳まれるか広がるようにするための螺旋棒の回転装置。
【請求項６】
上記溝で形成された螺旋は、それぞれ中部広幅区間より幅がさらに狭い上部狭幅区間を含む、請求項５に記載のキャリーの車輪が畳まれるか広がるようにするための螺旋棒の回転装置。
【請求項７】
上記螺旋はそれぞれ突出して凸部が形成され、上記螺旋結合部にはそれぞれ凹部が形成され、上記螺旋の凸部が上記螺旋結合部の凹部にそれぞれ対応して挿入されることにより、上記螺旋結合部が上記螺旋に沿ってスライド移動が可能になることを特徴とする、請求項１に記載のキャリーの車輪が畳まれるか広がるようにするための螺旋棒の回転装置。
【請求項８】
上記突出して凸部が形成された螺旋は、それぞれ中部狭幅区間より幅がさらに広い上部広幅区間を含む、請求項７に記載のキャリーの車輪が畳まれるか広がるようにするための螺旋棒の回転装置。
【請求項９】
上記一対の螺旋棒にそれぞれ車輪が連結されることを特徴とする、請求項１に記載のキャリーの車輪が畳まれるか広がるようにするための螺旋棒の回転装置。
【請求項１０】
上記本体は、かばん、スーツケース、トランク、またはゴルフバッグ（ｇｏｌｆ  ｂａｇ）のうちいずれか一つであることを特徴とする、請求項１に記載のキャリーの車輪が畳まれるか広がるようにするための螺旋棒の回転装置。